【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  階層ＱＡＭ伝送システムであって、
符号化されていない第１ビット誤り率パフォーマンスを有し、第１のデータストリームを表すレベル１信号と、前記第１のビット誤り率パフォーマンスよりも低い符号化されていない第２のビット誤り率パフォーマンスを有し、第２のデータストリームを表すレベル２信号とを含む階層ＱＡＭ信号を送信するための、前記第１および前記第２のデータストリームに応答する階層ＱＡＭ送信機と、
前記階層ＱＡＭ信号を受信し、受信した第１および第２のデータストリームを発生させるための、前記階層ＱＡＭ送信機に結合された階層ＱＡＭ受信機と、
第１の検出／訂正能力を有する符号によって前記第１のデータストリームを符号化するための、前記第１のデータストリームを処理する第１の誤り検出／訂正回路と、
前記第１のデータストリームの符号化されたビット誤り率が前記第２のデータストリームの符号化されたビット誤り率にさらに綿密に一致するように、前記第２のデータストリームを第２の誤り検出／訂正能力を有する符号によって符号化するための、前記第２のデータストリームを処理する第２の誤り検出／訂正回路とを含むことを特徴とする階層ＱＡＭ伝送システム。
【請求項２】  前記階層ＱＡＭ受信機は、
前記階層ＱＡＭ信号を受信するための、前記階層ＱＡＭ送信機に結合された入力端子と、
前記受信した第１のデータストリームを発生させるための第１の出力端子、および前記受信した第２のデータストリームを発生させるための第２の出力端子とを含み、
前記第１の誤り検出／訂正回路は、前記符号化された第１のデータストリームを復号するための、前記階層ＱＡＭ受信機の入力端子と前記第１の出力端子の間に結合された第１の誤り検出／訂正デコーダを含み、
前記第２の誤り検出／訂正回路および前記第２の誤り検出／訂正デコーダは、前記符号化された第２のデータストリームを復号するための、前記入力端子と前記第２の出力端子の間に結合されたことを特徴とする請求項１に記載のシステム。
【請求項３】  前記第１および第２のデータストリームは、それぞれ異なる畳み込み符号によって符号化され、
前記第１および第２の誤り検出／訂正デコーダは、それぞれ異なる畳み込み符号によって符号化されたデータを復号することを特徴とする請求項２に記載のシステム。
【請求項４】  前記第１の誤り検出／訂正回路は、レート７／８までパンクチャーした、レート２分の１、拘束長７の畳み込み符号によって前記第１のデータストリームを符号化し、
前記第２の誤り検出／訂正回路は、レート２分の１、拘束長７の畳み込み符号によって前記第２のデータストリームを符号化し、
前記第１の誤り検出／訂正デコーダは、レート７／８までパンクチャーした、レート２分の１、拘束長７の畳み込み符号によって前記第１のデータストリームを復号し、
前記第２の誤り検出／訂正デコーダは、レート２分の１、拘束長７の畳み込み符号によって前記第２のデータストリームを復号することを特徴とする請求項３に記載のシステム。
【請求項５】  前記階層ＱＡＭ送信機は、
前記第１のデータストリームの供給源に結合された第１の入力端子、および前記第２のデータストリームの供給源に結合された第２の入力端子と、
前記階層ＱＡＭ信号を発生させるための、前記階層ＱＡＭ受信機に結合された出力端子とを含み、
前記第１の誤り検出／訂正回路は、前記第１の誤り検出／訂正能力を有する誤り検出／訂正符号を使用して前記第１のデータストリームを符号化するための、前記階層ＱＡＭ送信機の前記第１の入力端子と前記出力端子の間に結合された第１の誤り検出／訂正エンコーダを含み、
前記第２の誤り検出／訂正回路は、前記第２の誤り検出／訂正能力を有する誤り検出／訂正符号を使用して前記第２のデータストリームを符号化するための、前記階層ＱＡＭ送信機の前記第２の入力端子と前記出力端子の間に結合された第２の誤り検出／訂正エンコーダを含むことを特徴とする請求項１に記載のシステム。
【請求項６】  前記第１および第２の誤り検出／訂正エンコーダは、それぞれ異なる畳み込み符号によって符号化する畳み込み符号エンコーダであることを特徴とする請求項５に記載のシステム。
【請求項７】  前記第１の誤り検出／訂正エンコーダは、レート７／８までパンクチャーした、レート２分の１、拘束長７の畳み込み符号によって符号化し、
前記第２の誤り検出／訂正エンコーダは、レート２分の１、拘束長７の畳み込み符号によって符号化することを特徴とする請求項６に記載のシステム。
【請求項８】  前記階層ＱＡＭ受信機は、
前記階層ＱＡＭ信号を受信するための、前記階層ＱＡＭ送信機に結合された入力端子と、
前記受信した第１のデータストリームを発生させるための第１の出力端子、および前記受信した第２のデータストリームを発生させるための第２の出力端子とを含み、
前記第１の誤り検出／訂正回路は、前記符号化された第１のデータストリームを復号するための、前記入力端子と前記第１の出力端子の間に結合された第１の誤り検出／訂正デコーダをさらに含み、
前記第２の誤り検出／訂正回路は、前記符号化された第２のデータストリームを復号するための、前記入力端子と前記第２の出力端子の間に結合された第２の誤り検出／訂正デコーダをさらに含むことを特徴とする請求項５に記載のシステム。
【請求項９】  前記第１および第２の誤り検出／訂正エンコーダは、それぞれ異なる畳み込み符号によって符号化する畳み込み符号エンコーダであり、
前記第１および第２の誤り検出／訂正デコーダは、前記第１および第２の誤り検出／訂正エンコーダによってそれぞれ符号化されたデータを復号する畳み込みデコーダであることを特徴とする請求項８に記載のシステム。
【請求項１０】  レート７／８までパンクチャーした、レート２分の１、拘束長７の畳み込み符号を、前記第１の誤り検出／訂正エンコーダは符号化し、前記第１の誤り検出／訂正デコーダは復号し、
レート２分の１、拘束長７畳み込み符号の畳み込み符号を、前記第２の誤り検出／訂正エンコーダは符号化し、前記第２の誤り検出／訂正デコーダは復号することを特徴とする請求項９に記載のシステム。
【請求項１１】  前記システムは、地上局から信号を受信して、前記信号を受信局に一斉送信する人工衛星をさらに含み、
前記階層ＱＡＭ送信機は、前記ＱＡＭ信号を前記人工衛星に送信するための、前記階層ＱＡＭ送信機の前記出力端子に結合された衛星地上局送信アンテナをさらに含み、
前記階層ＱＡＭ受信機は、前記ＱＡＭ信号を前記人工衛星から受信するための、前記階層ＱＡＭ受信機の前記入力端子に結合された衛星受信アンテナをさらに含むことを特徴とする請求項８に記載のシステム。
【請求項１２】  第１および第２のデータストリームの供給源と、
符号化されていない第１のビット誤り率パフォーマンスを有し、前記第１のデータストリームを表すレベル１信号と、前記第１のビット誤り率パフォーマンスよりも低い符号化されていない第２のビット誤り率パフォーマンスを有し、前記第２のデータストリームを表すレベル２信号とを含む階層ＱＡＭ信号を送信するための、前記第１および第２のデータストリームに応答する階層ＱＡＭ送信機と、
第１の検出／訂正能力を有する符号によって前記第１のデータストリームを符号化するための、前記第１のデータストリームを処理する第１の誤り検出／訂正回路と、
前記第１のデータストリームの符号化されたビット誤り率が前記第２のデータストリームの符号化されたビット誤り率にさらに綿密に一致するように、第２の誤り検出／訂正能力を有する符号によって前記第２のデータストリームを符号化するための、前記第２のデータストリームを処理する第２の誤り検出／訂正回路を含むことを特徴とする階層ＱＡＭ伝送システム。
【請求項１３】  前記階層ＱＡＭ送信機は、
前記第１のデータストリームの供給源に結合された第１の入力端子、および前記第２のデータストリームに結合された第２の入力端子と、
前記階層ＱＡＭ信号を発生させるための、前記階層ＱＡＭ受信機に結合された出力端子とを含み、
前記第１の誤り検出／訂正回路は、前記第１の誤り検出／訂正能力を有する誤り検出／訂正符号を使用して前記第１のデータストリームを符号化するための、前記階層ＱＡＭ送信機の前記第１の入力端子と前記出力端子の間に結合された第１の誤り検出／訂正エンコーダを含み、
前記第２の誤り検出／訂正回路は、前記第２の誤り検出／訂正能力を有する誤り検出／訂正符号を使用して前記第２のデータストリームを符号化するための、前記階層ＱＡＭ送信機の前記第２の入力端子と前記出力端子の間に結合された第２の誤り検出／訂正エンコーダを含むことを特徴とする請求項１１に記載の伝送システム。
【請求項１４】  前記第１および第２の誤り検出／訂正エンコーダは、それぞれ異なる畳み込み符号で符号化する畳み込み符号エンコーダであることを特徴とする請求項１２に記載の伝送システム。
【請求項１５】  前記第１の誤り検出／訂正エンコーダは、レート７／８までパンクチャーした、レート２分の１、拘束長７の畳み込み符号によって符号化し、
前記第２の誤り検出／訂正エンコーダは、レート２分の１、拘束長７の畳み込み符号によって符号化することを特徴とする請求項１３に記載の伝送システム。
【請求項１６】  前記第１のデータストリームの符号化されたビット誤り率が前記第２のデータストリームの符号化されたビット誤り率にさらに綿密に一致するように、符号化されていない第１のビット誤り率パフォーマンスを有し、第１のデータストリームを表すレベル１信号であって、第１の誤り検出／訂正能力を有する符号によって符号化されるレベル１信号と、前記第１のビット誤り率パフォーマンスよりも低い符号化されていない第２のビット誤り率パフォーマンスを有し、第２のデータストリームを表すレベル２信号であって、第２の誤り検出／訂正能力を有する符号によって符号化されるレベル２信号とを含む階層ＱＡＭ信号の供給源と、
前記階層ＱＡＭ信号を受信し、受信した第１および第２のデータストリームを発生させるための、前記階層ＱＡＭ送信機に結合された階層ＱＡＭ受信機と
を含むことを特徴とする階層ＱＡＭ受信システム。
【請求項１７】  前記階層ＱＡＭ受信機は、
前記階層ＱＡＭ信号を受信するための、前記階層ＱＡＭ信号源に結合された入力端子と、
前記受信した第１のデータストリームを発生させるための第１の出力端子、および前記受信した第２のデータストリームを発生させるための第２の出力端子と、
前記符号化された第１のデータストリームを復号するための、前記入力端子と前記第１の出力端子の間に結合された第１の誤り検出／訂正デコーダと、
前記符号化された第２のデータストリームを復号するための、前記入力端子と前記第２の出力端子の間に結合された第２の誤り検出／訂正デコーダと
を含むことを特徴とする請求項２に記載の受信システム。
【請求項１８】  前記第１および第２のデータストリームは、それぞれ異なる畳み込み符号によって符号化され、
前記第１および第２の誤り検出／訂正デコーダは、前記異なる畳み込み符号によって符号化されたデータをそれぞれ復号することを特徴とする請求項３に記載の受信システム。
【請求項１９】  前記第１のデータストリームは、レート７／８までパンクチャーした、レート２分の１、拘束長７の畳み込み符号によって符号化され、
前記第２のデータストリームは、レート２分の１、拘束長７の畳み込み符号によって符号化され、
前記第１の誤り検出／訂正デコーダは、レート７／８までパンクチャーした、レート２分の１、拘束長７の畳み込み符号によって前記第１のデータストリームを復号し、
前記第２の誤り検出／訂正デコーダは、レート２分の１、拘束長７の畳み込み符号によって前記第２のデータストリームを復号することを特徴とする請求項４に記載の受信システム。
【手続補正２】
【補正対象書類名】明細書
【補正対象項目名】０００１
【補正方法】変更
【補正の内容】
【０００１】
（発明の分野）
本発明は、階層直交振幅変調伝送システムに関する。
【手続補正３】
【補正対象書類名】明細書
【補正対象項目名】図８
【補正方法】変更
【補正の内容】
【図８】
階層ＱＡＭ信号における種々のレベルの信号の相対的なビットレートのパフォーマンスを変化させるためのグループ化因数の使用を表すコンスタレーション図である。